(57)【特許請求の範囲】
【請求項１】
引き戸の鉄製建具枠面に取付ける引き戸を引張る側の部材と、この部材と一対となる、引き戸の鉄製建具面に取付ける引き戸に引張られる側の部材とを備えた後付けドアストッパーであって、前記引き戸を引っ張る側の部材は、上下に底のない角筒形の三面の内、前記建具枠面に接して金具が動かない様にしたい面には磁力が強い永久磁石を取付け、前記引き戸に引っ張られる側の部材と重なる金具が引っ付いたり放れたりする面には磁力の弱い永久磁石を取付けた後付けドアストッパー。
【発明の詳細な説明】
【技術分野】
【０００１】本発明は後付けドアストッパーに関するものである。
【背景技術】
【０００２】従来の建築工事におけて自閉式引き戸及び折れ戸のドアストッパーを後から取付ける場合は、時間と費用をかけて専門の職人が上部自閉装置に正規のストッパーを取付ける方法が用いられている。
【先行技術文献】
【特許文献】
【０００３】
【特許文献１】特許第３５６０３３１号
【発明の概要】
【発明が解決しようとする課題】
【０００４】従来は次のような欠点があった。
自閉式引き戸及び折れ戸のドアストッパーを取付ける場合、正規のストッパー部材や専門の職人が必要となり、長い取付け時間、高い材料費及び高い取付け費用が必要である。
本発明は、以上のような従来の欠点を鑑み、誰でも取付けが簡単に出来、部材も安い後付けドアストッパーを提供してコストダウンと取付け作業効率の向上を目的としている。
【課題を解決するための手段】
【０００５】上記目的を達成するために、本発明は正規のドアストッパーが設置される無目カバー内部の自閉装置が仕込まれている場所ではなく、後付けでも直接取付ける事が可能な鉄製建具及び鉄製建具枠の外部を発明の部材を取付ける場所として、取付け方法は発明部材に組み込んだ永久磁石（登録商標）で行い、鉄製建具を開いた時に鉄製建具が永久磁石（登録商標）に引っ付き自閉装置の作用により鉄製建具を閉じようとする力を止めて後付のドアストッパーの機能を有し、人の力で永久磁石（登録商標）よりも強い力で引張った場合に鉄製建具が永久磁石（登録商標）から解放されて自閉装置が作用する事によって誰でも簡単に取付けが出来る機能を有する後付けドアストッパーを構成している。
【発明の効果】
【０００６】以上の説明から明らかなように、本発明にあっては次に列挙する効果が得られる。
（１）設計時にはドアストッパー機能がない自閉式建具を考えていたが、使用状況の変化によってドアストッパー機能が必要となった場合、専門の職人でなく誰でも後付けでも簡単にドアストッパー機能が取付ける事ができる。
（２）着脱が簡単なため、ドアストッパー機能の復旧・撤去が簡単に選択できる。
（３）特別な部材や技術が不要なため、安価に製作できてコストダウンになる。
【図面の簡単な説明】
【０００７】
【図１】は鉄製引き戸建具枠側に取付ける発明を上から見た見下げ図
【図２】は鉄製引き戸建具枠側に取付ける発明を下から見た見上げ図
【図３】は鉄製引き戸建具枠側に取付ける発明をイーイから見た立面図
【図４】は鉄製引き戸建具枠側に取付ける発明をローロから見た立面図
【図５】は鉄製引き戸建具枠側に取付ける発明をハーハから見た立面図
【図６】は鉄製引き戸建具枠側に取付ける発明をニーニから見た立面図
【図７】は鉄製引き戸建具枠側に取付ける発明をホーホで切った断面図
【図８】は鉄製引き戸建具枠側に取付ける発明をヘーヘで切った断面図
【図９】は鉄製引き戸建具面側に取付ける発明を上から見た見下げ図
【図１０】は鉄製引き戸建具面側に取付ける発明を下から見た見上げ図
【図１１】は鉄製引き戸建具面側に取付ける発明を横から見た立面図
【図１２】は鉄製引き戸建具面側に取付ける発明をチーチで切った断面図
【図１３】は鉄製引き戸の姿図
【図１４】は鉄製引き戸に発明を取付けた時の斜視図
【図１５】は引き戸の鉄製建具枠における無目カバーの見込み部分に永久磁石（登録商標）で取付けて鉄製建具を永久磁石（登録商標）で引張るための骨組みとなる部材の斜視図
【図１６】は引き戸の鉄製建具枠における無目カバーの見込み部分に永久磁石（登録商標）で取付けて鉄製建具を永久磁石（登録商標）で引張るための骨組みとなる部材にかぶせて見栄えを良くする合成樹脂の化粧カバーの斜視図
【図１７】は引き戸の鉄製建具面に永久磁石（登録商標）で取付けて鉄製建具を磁石で引張られるための骨組みとなる部材にかぶせて見栄えを良くする合成樹脂の化粧カバーの斜視図
【図１８】は引き戸の鉄製建具面に永久磁石（登録商標）で取付けて鉄製建具が引張られるための骨組みとなる部材の斜視図
【図１９】は鉄製折れ戸建具枠に取付ける発明を上から見た見下げ図
【図２０】は鉄製折れ戸建具枠に取付ける発明を下から見た見上げ図
【図２１】は鉄製折れ戸建具枠に取付ける発明をリーリから見た立面図
【図２２】は鉄製折れ戸建具枠に取付ける発明をヌーヌから見た立面図
【図２３】は鉄製折れ戸建具枠に取付ける発明をルールから見た立面図
【図２４】は鉄製折れ戸建具枠に取付ける発明をヲーヲから見た立面図
【図２５】は鉄製折れ戸建具枠に取付ける発明をワーワで切った断面図
【図２６】は鉄製折れ戸建具枠に取付ける発明をカーカで切った断面図
【図２７】は鉄製引折れ戸の姿図
【図２８】は鉄製引折れ戸に発明を取付けた時の斜視図
【図２９】は折れ戸の鉄製建具枠における上枠の見込みと見附部分に永久磁石（登録商標）で取付けて鉄製建具を永久磁石（登録商標）で引張るための骨組みとなる部材の斜視図
【図３０】は折れ戸の鉄製建具枠における上枠の見込みと見附部分に永久磁石（登録商標）で取付けて鉄製建具を永久磁石（登録商標）で引張るための骨組みとなる部材にかぶせて見栄えを良くする合成樹脂の化粧カバーの斜視図
【図３１】は木製引き戸又は折れ戸の骨組みとなる部分を木製建具に固定する永久磁石（登録商標）の代わりとなる釘又はビス穴を設けた骨組み
【発明を実施するための形態】
【０００８】以下、本発明の実施の形態を図に基づいて説明する。
【実施例１】
【０００９】図１４は引戸の鉄製建具枠における無目カバーの見込み部分に鋼製建具を引張る側の上下に底のない角筒形の部材を永久磁石（登録商標）で取付け、鋼製建具側に引張られる側のＬ型の部材を永久磁石（登録商標）で取付けて磁力で角筒形の部材に引き寄せられて自閉装置の作用により鉄製建具を閉じようとする力を止めることにより後付のドアストッパーの機能を有し、人の力で永久磁石（登録商標）の磁力よりも強い力で引張った場合に鉄製建具が永久磁石（登録商標）から解放される機能を有する利用方法である。
【実施例２】
【００１０】図１５は折れ戸の場合上枠の見込み部分の寸法が小さい場合がある為に上枠の見附部分にも鋼製建具を引張る側の腰掛けの形をした部材を見込みと見附部分両方に永久磁石（登録商標）で取付けれるようにし、扉は上枠と直角になるので扉を直接に引張るときの利用方法である。
【符号の説明】
【００１１】１  引戸の鉄製建具枠における無目カバーの見込み部分に永久磁石（登録商標）で取付けて鉄製建具を永久磁石（登録商標）で引張るための骨組みとなる部材
２  永久磁石（登録商標）
３  永久磁石（登録商標）を留めているハトメ金具
４  引戸の鉄製建具枠における無目カバーの見込み部分に永久磁石（登録商標）で取付けて鉄製建具を永久磁石（登録商標）で引張るための骨組みとなる部材にかぶせて見栄えを良くする合成樹脂の化粧カバー
５  引戸の鉄製建具面に永久磁石（登録商標）で取付けて鉄製建具が引張られるための骨組みとなる部材
６  引戸の鉄製建具面に永久磁石（登録商標）で取付けて鉄製建具を磁石で引張られるための骨組みとなる部材にかぶせて見栄えを良くする合成樹脂の化粧カバー
７  鉄製引戸（本発明対象外）
８  鉄製引戸の姿図における、本発明の取付け位置（本発明対象外）
９  引戸の鉄製建具枠における無目カバーの見込み部分に永久磁石（登録商標）で取付ける本発明
１０  引戸の鉄製建具面に永久磁石（登録商標）で取付け本発明
１１  引戸の鉄製建具枠における無目カバーの見込み部分（本発明対象外）
１２  引戸のガイド部分（本発明対象外）
１３  折れ戸の鉄製建具枠における上枠の見込みと見附部分に永久磁石（登録商標）で取付けて鉄製建具を永久磁石（登録商標）で引張るための骨組みとなる部材
１４  折れ戸の鉄製建具枠における上枠の見込みと見附部分に永久磁石（登録商標）で取付けて鉄製建具を永久磁石（登録商標）で引張るための骨組みとなる部材にかぶせて見栄えを良くする合成樹脂の化粧カバー
１５  鉄製折れ戸の姿図における、本発明の取付け位置（本発明対象外）シ
１６  折れ戸の鉄製建具枠における上枠の見込みと見附部分に永久磁石（登録商標）で取付ける本発明
１７  鉄製折れ戸（本発明対象外）
１８  鉄製折れ戸における上枠の見込み部分（本発明対象外）
１９  鉄製折れ戸における上枠の見附部分（本発明対象外）
２０  折れ戸における上枠のガイド部分（本発明対象外）
２１  木製引戸、木製折れ戸の場合の固定するための釘又はビス穴
【要約】
【課題】本発明は後付けドアストッパーを提供して誰でも取付けが簡単に出来、部材も安い後付けドアストッパーを提供してコストダウンと取付け作業効率の向上を目的としている。
【解決手段】上記目的を達成するために、本発明は正規のドアストッパーが設置される無目カバー内部の自閉装置が仕込まれている場所ではなく、後付けでも直接取付ける事が可能な鉄製建具及び鉄製建具枠の外部を発明の部材を取付ける場所として、取付け方法は発明部材に組み込んだ永久磁石（登録商標）で行い、鉄製建具を開いた時に鉄製建具が永久磁石（登録商標）に引っ付き自閉装置の作用により鉄製建具を閉じようとする力を止めて後付のドアストッパーの機能を有し、人の力で永久磁石（登録商標）よりも強い力で引張った場合に鉄製建具が永久磁石（登録商標）から解放されて自閉装置が作用する事によって誰でも簡単に取付けが出来る機能を有する後付けドアストッパーを構成している。
【選択図】図１４【図１】
0005990856.tif 000002
【図２】
0005990856.tif 000003
【図３】
0005990856.tif 000004
【図４】
0005990856.tif 000005
【図５】
0005990856.tif 000006
【図６】
0005990856.tif 000007
【図７】
0005990856.tif 000008
【図８】
0005990856.tif 000009
【図９】
0005990856.tif 000010
【図１０】
0005990856.tif 000011
【図１１】
0005990856.tif 000012
【図１２】
0005990856.tif 000013
【図１３】
0005990856.tif 000014
【図１４】
0005990856.tif 000015
【図１５】
0005990856.tif 000016
【図１６】
0005990856.tif 000017
【図１７】
0005990856.tif 000018
【図１８】
0005990856.tif 000019
【図１９】
0005990856.tif 000020
【図２０】
0005990856.tif 000021
【図２１】
0005990856.tif 000022
【図２２】
0005990856.tif 000023
【図２３】
0005990856.tif 000024
【図２４】
0005990856.tif 000025
【図２５】
0005990856.tif 000026
【図２６】
0005990856.tif 000027
【図２７】
0005990856.tif 000028
【図２８】
0005990856.tif 000029
【図２９】
0005990856.tif 000030
【図３０】
0005990856.tif 000031
【図３１】
0005990856.tif 000032